(57)【要約】      （修正有）【課題】収納している製品を汚したり傷めることなく、その中の小製品を自在に出し入れして入れ替えることのできるダンボール製の梱包容器を提供する。【解決手段】大小複数の製品を収納し、その内の小製品Ｓを収納する収納部３を、前端部の所定箇所に設けた収納箱体２と、収納箱体２を塞ぐ蓋体５とからなるダンボール製の梱包容器であって、蓋体５前端部の、収納部３に対応する部分に、左右両側がミシン目７で形成され、ミシン目７が先端から後端にかけて切断されることによって、後端をヒンジとして回動自在に開閉される回動蓋６を設け、収納部３に収納した小製品Ｓを出し入れ自在とする。【選択図】図１
2005088905.tif 000002
【特許請求の範囲】
【請求項１】
大小複数の製品を収納し、その内の小製品を収納する収納部を、前端部の所定箇所に設けた収納箱体と、該収納箱体を塞ぐ蓋体とからなるダンボール製の梱包容器であって、
前記蓋体前端部の、前記収納部に対応する部分に、左右両側がミシン目で形成され、該ミシン目が先端から後端にかけて切断されることによって、後端をヒンジとして回動自在に開閉される回動蓋を設け、前記収納部に収納した小製品を出し入れ自在としてなることを特徴とするダンボール製梱包容器。
【請求項２】
前記蓋体を、前記収納箱体の上面開口部を塞ぐ上壁、前面部を覆う前壁、後面部を覆う後壁、および少なくとも一方の側面部を覆う側壁とで構成した箱状とし、前記前壁の下端の一部を、前記回動蓋の先端としてなることを特徴とする請求項１に記載のダンボール製梱包容器。
【請求項３】
前記収納箱体に設けた収納部の前壁を開口可能にしたことを特徴とする請求項２に記載のダンボール製梱包容器。
【請求項４】
前記回動蓋を、結束バンドや粘着テープと干渉しない箇所に設けてなることを特徴とする請求項１乃至３のうちいずれか一つに記載のダンボール製梱包容器。
【発明の詳細な説明】
【技術分野】
【０００１】
本発明は、例えば、ドア本体とそれに取付ける取っ手など、製品本体とその付属品といった大小複数の製品を一緒に収納するためのダンボール製の梱包容器に関する。より詳しくは、その一部に、小製品を入れ替え可能とした構造を有するダンボール製の梱包容器に関する。
【背景技術】
【０００２】
従来から、大きさの異なる大小複数の製品を、同一の梱包容器に収納することがある。
これには、各製品を個別に梱包するよりも、使用する梱包材の量が少なくてすむという利点がある。また、物流過程において取り扱う梱包物の種類を減らすことができるので、受注から出荷に要する時間を短くすることができると共に、未出荷や誤出荷といった間違いを減らすことができるといった点でも優れている。
【０００３】
しかし、需用者の多様なニーズに対応するために、梱包容器内の複数の製品のうち、一つの製品だけを入れ替える必要が生じた場合には、倉庫の積み山から梱包物を一つ一つ積み替えるように移動させ、粘着テープ留めやバンド結束によって閉じられた梱包物を開いて、その中の製品を入れ替えなければならないといった問題があった。
【０００４】
また、バンド結束機に梱包物を通す必要があるものは、通常、倉庫に結束機がないので、工場の生産ラインに戻す必要が生じるが、当該生産ラインの構造によっては、生産を止めて梱包物を通す必要があるので、稼働率の低下をもたらすことになっていた。
【０００５】
こうした製品の入れ替えは、仕様変更や検品作業等、供給者側の理由によっても必要となる作業であった。特に、大小複数の製品を同一梱包容器内に収納し、梱包後に小製品のみを入れ替える必要が生じた場合、きわめて小さな製品の入れ替えにも関わらず、前述した作業を行う必要があり、過度の労力を必要としていた。
【０００６】
このような問題を解決すべく、従来、保証書や小物アクセサリー等を自在に出し入れできるようにしたパッケージが創案されている（例えば、特許文献１参照）。
【特許文献１】実用新案登録第２５６６２９２号
【発明の開示】
【発明が解決しようとする課題】
【０００７】
このパッケージは、外側フラップの基端部に出し入れ口を形成するためのミシン目を入れ、このミシン目を切ることによって出し入れ口を開口するようにしている。
【０００８】
しかしながら、この従来技術においては、出し入れ口を外側フラップの基端部に形成しているので、ミシン目を切るための手指挿入穴を併せて形成している。そのため、この手指挿入穴から埃や雨水等が侵入し易く、収納している製品を汚したり傷めてしまい易いという問題があった。
また、フラップは上面に設けられているため、梱包物を山積みにすると最上段のものからしか収納製品を取り出すことが出来ないので、結局、梱包物を一つ一つ積み替えるといった作業が発生する。
【０００９】
そこで、本発明の目的とするところは、収納している製品を汚したり傷めることなく、その中の小製品を自在に出し入れして入れ替えることのできるダンボール製の梱包容器を提供することにある。
【課題を解決するための手段】
【００１０】
上記の目的を達成するために、本発明の請求項１に記載のダンボール製梱包容器（１）は、大小複数の製品を収納し、その内の小製品（Ｓ）を収納する収納部（３）を、前端部の所定箇所に設けた収納箱体（２）と、当該収納箱体（２）を塞ぐ蓋体（５）とからなるダンボール製の梱包容器であって、前記蓋体（５）前端部の、前記収納部（３）に対応する部分に、左右両側がミシン目（７）で形成され、当該ミシン目（７）が先端から後端にかけて切断されることによって、後端をヒンジとして回動自在に開閉される回動蓋（６）を設け、前記収納部（３）に収納した小製品（Ｓ）を出し入れ自在としてなることを特徴とする。
【００１１】
また、請求項２に記載のダンボール製梱包容器は、前記蓋体（５）を、前記収納箱体（２）の上面開口部を塞ぐ上壁（８）、前面部を覆う前壁（９）、後面部を覆う後壁（１０）、および少なくとも一方の側面部を覆う側壁（１１）とで構成した箱状とし、前記前壁（９）の下端の一部を、前記回動蓋（６）の先端（６ａ）としてなることを特徴とする。
【００１２】
さらに、請求項３に記載のダンボール製梱包容器（１）は、前記収納箱体（２）に設けた収納部（３）の前壁（１４）を開口可能にしたことを特徴とする。
【００１３】
また、請求項４に記載のダンボール製梱包容器（１）は、前記回動蓋（６）を、結束バンド（１２）や粘着テープと干渉しない箇所に設けてなることを特徴とする。
【００１４】
なお、カッコ内の記号は、図面および後述する発明を実施するための最良の形態に記載された対応要素または対応事項を示す。
【発明の効果】
【００１５】
本発明の請求項１に記載のダンボール製梱包容器によれば、蓋体前端部の収納部に対応する部分に、左右両側がミシン目で形成され、そのミシン目が先端から後端にかけて切断されることによって、後端をヒンジとして回動自在に開閉される回動蓋を設けているので、以下の効果を発揮する。
【００１６】
（１）製品を汚したり傷めたりしない。
従来技術のように、手指挿入穴を形成することなく、ミシン目をその前先端から切断して、回動蓋を開けることができる。
従って、手指挿入穴から埃や雨水が浸入して製品を汚したり傷めたりするといった問題が発生しない。
【００１７】
（２）少ない在庫で多様な需用者のニーズに対応することができる。
梱包後、回動蓋を開けることにより、小製品を容易に入れ替えることができるので、大製品の仕様ごとに在庫を持つだけで、消費者の多様なニーズに対応することができる。仮に大製品と小製品が１個づつ収納される場合、それぞれ４種類ずつの仕様があるとすると、１６種類の梱包物を在庫として持つ必要があるが、本発明に係る梱包容器を使用すれば、４種類の在庫を持つだけで足りる。また、収納部を２箇所設ければ、標準仕様の４種類の在庫を持つだけで、６４通りのニーズに対応できる。
【００１８】
また、請求項２に記載の発明によれば、請求項１に記載の発明の作用効果に加えて、前記蓋体を、前記収納箱体の上面開口部を塞ぐ上壁、前面部を覆う前壁、後面部を覆う後壁、および少なくとも一方の側面部を覆う側壁で構成した箱状とし、前記前壁の下端の一部を前記回動蓋の先端としたので、回動蓋の先端（下端）を引き上げることによってミシン目を切断することができる。
従って、回動蓋を容易に開けることができる。
【００１９】
さらに、請求項３に記載の発明によれば、請求項２に記載の発明の作用効果に加えて、前記収納箱体に設けた収納部の前壁を開口可能にしたので、そこから収納部に対して小製品を出し入れすることができる。よって、梱包物を一つ一つ積み替えるように移動させることなく、積んである梱包容器から小製品を入れ替えができるので、梱包物の積み替え作業が不要となる。
【００２０】
また、請求項４に記載の発明によれば、請求項１乃至３に記載の発明の作用効果に加えて、回動蓋を、結束バンドや粘着テープと干渉しない箇所に設けているので、梱包後やテープ貼着後に、当該回動蓋を必要に応じて開けることができる。
従って、従来技術のように、小製品を入れ替えた後に、生産ラインを止めて、再度、バンド結束機に通す必要が生じて、稼働率が低下するといった問題も発生しない。
【発明を実施するための最良の形態】
【００２１】
図１乃至図４を参照して、本発明の実施形態に係るダンボール製梱包容器１について説明する。図１は、本発明の実施形態に係るダンボール製梱包容器１を示す平面図であり、図２は、その収納箱体２を示す平面図である。また、図３は、その要部拡大斜視図であり、図４は、回動蓋６を開けた状態を示す要部拡大斜視図である。
【００２２】
本発明の実施形態に係るダンボール製梱包容器１は、大製品（ドア本体）Ｄと小製品（取っ手）Ｓを収納し、その内の小製品Ｓを収納する収納部３を、前端部の所定箇所に設けた収納箱体２と、その収納箱体２を塞ぐ蓋体５とを有する。蓋体５は、収納箱体２の上面開口部を塞ぐ上壁８、前面部を覆う前壁９、後面部を覆う後壁１０、および側面部を覆う側壁１１を有する箱状であり、回動蓋６を形成する二本のミシン目７は、その前壁９の下端から上壁８の前端部にわたって左右に平行に形成している。なお、側壁１１は収納箱体２の両側面部を覆うものに限定されず、少なくとも一方の側面部を覆うものであれば良い。
【００２３】
また、この梱包容器１は、蓋体５前端部の、収納部３に対応する部分に回動蓋６を設けている。この回動蓋６は、その外形の左右両側がミシン目７で形成され、そのミシン目７が先端から後端にかけて切断されることによって、その後端をヒンジとして回動自在に開閉される。
【００２４】
こうした構成の回動蓋６を開けることによって、収納部３に収納している小製品Ｓを取り出し、新たな小製品Ｓと入れ替えることができる。また、この回動蓋６は、ミシン目７の先端から切断するので、従来技術のように、ミシン目７を切断するための手指挿入穴を形成していない。従って、手指挿入穴から埃や雨水が浸入して製品を汚したり傷めたりすることがない。
【００２５】
また、梱包後、回動蓋６を開けることにより、小製品Ｓを容易に入れ替えることができるので、大製品Ｄの仕様ごとに在庫を持つだけで、消費者の多様なニーズに対応することができる。
【００２６】
なお、本実施形態に係る梱包容器１は、その蓋体５を箱状とし、その前壁９の下端の一部を、回動蓋６の先端６ａとしているので、当該回動蓋６の先端６ａを引き上げることによってミシン目７を切断することができる。従って、回動蓋６を容易に開けることができる。
【００２７】
また、本実施形態に係る梱包容器１は、結束バンド１２および粘着テープを使用して梱包するものであるが、その回動蓋６を、結束バンド１２や粘着テープ（図示せず）と干渉しない箇所に設けている。従って、従来技術のように、小製品Ｓを入れ替えた後に、生産ラインを止めて、再度、バンド結束機に通して結束し直す必要がなく、稼働率が低下することもない。
【００２８】
なお、本実施形態においては、収納部３を収納箱体２の前端部を折曲げて、その折曲部４に形成している（図５参照）。従って、折曲げしないで別部材に収納部３を形成したものと比較して、発注、納品確認、在庫管理が容易であり、省資源化にも貢献することができる。
【００２９】
また、図６に示すように、収納箱体２に設けた収納部３の前壁１４を開口可能にすることもできる。前壁１４は左右に設けられたミシン目１３に沿って前側に倒れるようになっている。これによれば、回動蓋６を開けさらに前壁１４を開けると、そこから収納部３に対して小製品Ｓを出し入れすることができる。
よって、梱包物を一つ一つ積み替えるように移動させることなく、積んである梱包容器１から小製品Ｓを入れ替えができるので、梱包物の積み替え作業が不要となる。
【図面の簡単な説明】
【００３０】
【図１】本発明の実施形態に係るダンボール製梱包容器を示す平面図である。
【図２】図１に示す梱包容器の収納箱体を示す平面図である。
【図３】図１に示す梱包容器の要部拡大斜視図である。
【図４】図１に示す梱包容器において、回動蓋を開けた状態を示す要部拡大斜視図である。
【図５】図１に示す梱包容器において、蓋体を開けた状態を示す要部拡大斜視図である。
【図６】別態様の梱包容器において、回動蓋を開けた状態を示す要部拡大斜視図である。
【符号の説明】
【００３１】
１    ダンボール製梱包容器
２    収納箱体
３    収納部
４    折曲部
５    蓋体
６    回動蓋
６ａ  先端（下端）
７    ミシン目
８    上壁
９    前壁
１０    後壁
１１    側壁
１２    結束バンド
１３    ミシン目
１４    前壁
Ｓ    小製品
Ｄ    大製品
【図１】
2005088905.tif 000003
【図２】
2005088905.tif 000004
【図３】
2005088905.tif 000005
【図４】
2005088905.tif 000006
【図５】
2005088905.tif 000007
【図６】
2005088905.tif 000008